(57)【要約】【課題】配線用絶縁筒の支持関連の部品点数を多くせず、また組立工数を多くしない開閉器を提供する。【解決手段】ケース９内部の配線７の一部を挿通するための二つの開口部４ｂ，４ｃが周壁４ａに設けられた配線用絶縁筒４を備え、配線用絶縁筒４の一端は、ケース９内部に固定されて配線用絶縁筒４の一端を支持する支持板５からの抜けを防止してかつ開口部４ｂ，４ｃの開口方向を所望の方向に保持するための挿着構造の係合部４ｄが形成されて支持板５に係合され、他端はケース９内部に設けられた穴形状の窪み６又は棒形状の突起６ａに係合されるようにした。【選択図】        図１
2004236367.tif 000002
【特許請求の範囲】
【請求項１】
ケース内部の配線の一部を挿通するための二つの開口部が周壁に設けられた配線用絶縁筒を備えた開閉器において、
前記配線用絶縁筒の一端は、ケース内部に固定されて前記配線用絶縁筒の一端を支持する支持板からの抜けを防止してかつ前記開口部の開口方向を所望の方向に保持するための挿着構造の係合部が形成されて前記支持板に係合され、他端はケース内部に設けられた穴形状の窪み又は棒形状の突起に係合される開閉器。
【請求項２】
係合部は凸部を有し、前記凸部は配線用絶縁筒の端から切り欠いて形成又は前記配線用絶縁筒の端に係合部形成部材を継合して形成される請求項１に記載の開閉器。
【請求項３】
支持板は、配線用絶縁筒の係合部の先端断面形状に合わせた挿入孔又は穴形状の窪み、あるいは前記配線用絶縁筒の係合部を係止可能な四角形状の挿入孔又は四角形状の窪みを有する請求項１又は請求項２に記載の開閉器。
【発明の詳細な説明】
【０００１】
【発明の属する技術分野】
本発明は、ケース内部の配線の一部を挿通するための二つの開口部が周壁に設けられた配線用絶縁筒を備えた開閉器に関するものである。
【０００２】
【従来の技術】
一般に、ケース内部の配線は他の配線あるいは接地部と必要な絶縁距離を保って配線されるが、例えば、開閉器の小形化のために配線のための隙間が制限され、配線と接地部との間に必要な絶縁距離が確保できない場合があり、この場合には、配線と接地部との間に絶縁物を介在させて等価的に絶縁距離を確保している。この絶縁物を介在させる方法としては、配線用絶縁筒を用いるものがある。また、絶縁バリヤを用いるものもある。（例えば、特許文献１参照。）
【０００３】
図７は、配線用絶縁筒を用いた従来の開閉器の部分断面図であり、図８（Ａ）は、図７の配線用絶縁筒の上端の支持部を示す平面図であり、図８（Ｂ）はその正面図であり、図９（Ａ）は、図７の配線用絶縁筒の下端の支持部を示す平面図であり、図９（Ｂ）はその正面図である。
【０００４】
図７において、１は開閉器のケースでありケース１内には、操作電源部２と開閉器本体３と配線７と一端が支持板１５で支持され他端が支持板１６で支持される配線用絶縁筒１４とが収容されている。また、ケース１の下部には複数のブッシング８が備えられて、開閉器と図示しない外部の電気回路との接続に使用される。
【０００５】
操作電源部２は、図示しない操作機構の操作電力を得るためのもので、配線７によって操作電源部２の端子２ａとブッシング８の内部接続端子部に電気的に接続されている開閉器本体３の端子３ａとが電気的に接続されて、操作機構へ変成して給電している。
【０００６】
開閉器本体３は、電気回路を開閉するもので、図示しない操作機構で駆動される。
【０００７】
配線用絶縁筒１４は、配線７の一部を挿通するための円周方向よりも軸方向に長く開口された二つの開口部１４ｂ，１４ｃが周壁１４ａに設けられて配線７が挿通され、一端は図８（Ａ）（Ｂ）に示すようにボルト軸１５ｃが立設された係合部材１５ｂが割ピン１５ｆで装着されて支持板１５に支持され、他端は図９（Ａ）（Ｂ）に示すように支持板１６に支持されている。
【０００８】
支持板１５は、配線用絶縁筒１４の上端を支持するもので、図８（Ａ）（Ｂ）に示すように配線用絶縁筒１４の一端に装着された係合部材１５ｂに立設されたボルト軸１５ｃが挿通する孔１５ｈが設けられて、ケース１に固定されている。
【０００９】
支持板１６は、配線用絶縁筒１４の下端を支持するもので、図９（Ａ）（Ｂ）に示すように配線用絶縁筒１４の下端部を挿入する挿入孔１６ｆが設けられて、ケース１に設けられた支持板座１６ａにボルト１６ｅで締め付けて固定されている。
【００１０】
上記の開閉器では、配線用絶縁筒１４の取り付けは下記のように行われる。まず、ボルト１６ｅにバネ座金１６ｄ、座金１６ｃと順に重ねて通して保持した状態で、支持板１６を支持板座１６ａにボルト１６ｅで締め付けて固定する。
【００１１】
次に、寸法合わせをした配線７の一方の端に端子７ａを取り付けて、その端を開閉器本体３の端子３ａに電気的に接続する。次に、配線７を配線用絶縁筒１４の一方の開口部１４ｃから他方の開口部１４ｂに挿通する。次に、配線用絶縁筒１４の開口部１４ｂ，１４ｃを開閉器本体３側に向けて下端部を支持板１６の挿入孔１６ｆに挿入して下端の支持を行う。次に、配線用絶縁筒１４の一端に装着された係合部材１５ｂのボルト軸１５ｃを支持板１５の孔１５ｈに挿入して、バネ座金１５ｅを介してナット１５ｄで支持板１５に締め付けて固定する。次に、支持板１５をケース１に固定する。
【００１２】
その後、配線７の他方の端に端子７ａを取り付けて、その端を操作電源部２の端子２ａに電気的に接続する。
【００１３】
上記のような開閉器では、配線用絶縁筒１４は、一端に装着された係合部材１５ｂのボルト軸１５ｃが支持板１５に設けられた孔１５ｈに挿入されてボルト締結されることによって、開口部１４ｂ，１４ｃの開口方向が保持され、かつ支持板１５からの抜けが防止されている。
【００１４】
【特許文献１】
特開２００１−２９８８１０号公報
【００１５】
【発明が解決しようとする課題】
図７に示した従来の開閉器では、配線用絶縁筒１４の上端にはボルト締結構造が使用され、また下端には支持板１６の取り付けにボルト締結構造が使用されているために、配線用絶縁筒１４の支持関連の部品点数が多くなって材料費がアップし、また組立工数が多くなると言う問題があった。
【００１６】
本発明の目的は、配線用絶縁筒の支持関連の部品点数を多くせず、また組立工数を多くしない開閉器を提供することにある。
【００１７】
【課題を解決するための手段】
請求項１に記載の発明は、ケース内部の配線の一部を挿通するための二つの開口部が周壁に設けられた配線用絶縁筒を備え、配線用絶縁筒の一端は、ケース内部に固定されて配線用絶縁筒の一端を支持する支持板からの抜けを防止してかつ開口部の開口方向を所望の方向に保持するための挿着構造の係合部が形成されて支持板に係合され、他端はケース内部に設けられた穴形状の窪み又は棒形状の突起に係合されるようにしたものである。
請求項１の発明においては、配線用絶縁筒の両端共に挿着構造で支持することになって、支持関連の部品点数の削減ができ、また、材料費、組立工数の低減もできる。
【００１８】
請求項２に記載の発明は、係合部は凸部を有し、凸部は配線用絶縁筒の端から切り欠いて形成又は配線用絶縁筒の端に係合部形成部材を継合して形成されるようにしたものである。
請求項２の発明においては、配線用絶縁筒の係合部が凸形状に形成されることによって、支持板との係合構成が簡素化できる。
【００１９】
請求項３に記載の発明は、支持板は、配線用絶縁筒の係合部の先端断面形状に合わせた挿入孔又は穴形状の窪み、あるいは配線用絶縁筒の係合部を係止可能な四角形状の挿入孔又は四角形状の窪みを有するようにしたものである。
請求項３の発明においては、支持板に、配線用絶縁筒の係合部に係合する、挿入孔又は穴形状の窪み、あるいは四角形状の挿入孔又は四角形状の窪みが形成されることによって、配線用絶縁筒との係合構成が簡素化できる。
【００２０】
【発明の実施の形態】
図１は、本発明に係る開閉器の一実施形態を示す部分断面図であり、図２（Ａ）は、図１の開閉器に用いられる配線用絶縁筒の上端の係合状態を示す平面図であり、図２（Ｂ）は、その正面図であり、図３（Ａ）は、図１の開閉器に用いられる配線用絶縁筒の下端の係合状態を示す平面図であり、図３（Ｂ）は、その正面図である。ここで、図１において、図７に示した従来の開閉器の各部と同等の部分には、それぞれ同一の符号を付してある。
【００２１】
図１において、９は開閉器のケースでありケース９内には、操作電源部２と開閉器本体３と配線７と一端が支持板５で支持される配線用絶縁筒４とが収容されている。また、ケース９内の底面には配線用絶縁筒４の他端を挿入するための穴形状の窪み６が設けられている。さらに、ケース９の下部には複数のブッシング８が備えられて、開閉器と図示しない外部の電気回路との接続に使用される。
【００２２】
操作電源部２は、図示しない操作機構の操作電力を得るためのもので、配線７によって操作電源部２の端子２ａとブッシング８の内部接続端子部に電気的に接続されている開閉器本体３の端子３ａとが電気的に接続されて、操作機構へ変成して給電している。
【００２３】
開閉器本体３は、電気回路を開閉するもので、図示しない操作機構で駆動される。
【００２４】
配線用絶縁筒４は、配線７の一部を挿通するための円周方向よりも軸方向に長く開口された二つの開口部４ｂ，４ｃが周壁４ａに設けられて配線７が挿通され、一端は支持板５からの抜けを防止してかつ開口部４ｂ，４ｃの開口方向を所望の方向に保持するための挿着構造の係合部４ｄが図２（Ａ）（Ｂ）に示すように開口部４ｂ，４ｃの開口方向を考慮して先端断面形状が円弧形状になるように端から凸形状に切り欠いて形成されて支持板５に支持され、他端は図３（Ａ）（Ｂ）に示すようにケース９内の底面に設けられた穴形状の窪み６に挿入されて支持されている。
【００２５】
支持板５は、配線用絶縁筒４の上端部を支持するもので、配線用絶縁筒４の係合部４ｄを係止可能な図２（Ａ）（Ｂ）に示すような四角形状の挿入孔５ｂが形成されて、ケース９に固定されている。
【００２６】
上記の開閉器では、配線用絶縁筒４の取り付けは下記のように行われる。まず、寸法合わせをした配線７の一方の端に端子７ａを取り付けて、その端を開閉器本体３の端子３ａに電気的に接続する。次に、配線７を配線用絶縁筒４の一方の開口部４ｃから他方の開口部４ｂに挿通する。次に、配線用絶縁筒４の下端部をケース９内の底面の穴形状の窪み６に挿入して、上端の係合部４ｄは支持板５の挿入孔５ｂに挿入する。次に、支持板５をケース９に固定する。このとき、配線用絶縁筒４の回動は防止されるので、開口部４ｂ，４ｃの開口方向は確定される。
【００２７】
その後、配線７の他方の端に端子７ａを取り付けて、その端を操作電源部２の端子２ａに電気的に接続する。
【００２８】
上記のような開閉器では、配線用絶縁筒４は、一端に形成された凸形状の係合部４ｄが、支持板５に形成された係合部４ｄを係止可能な四角形状の挿入孔５ｂに挿入されて、開口部４ｂ，４ｃの開口方向が保持され、かつ配線用絶縁筒４の端面の一部からなる係合部４ｄの基部が支持板５の一面と係合して支持板５からの抜けが防止されている。
【００２９】
図４は、配線用絶縁筒４の上端部の周壁４ａの端面に係合部形成部材４ｅを継合して先端断面形状が電源プラグ形状の凸形状の係合部４ｄが形成され、支持板５には係合部４ｄが係止可能な四角形状の窪み５ｄが形成されて係合される場合の実施の形態を示す図２相当図である。
【００３０】
図５は、配線用絶縁筒４の上端部に先端断面形状が円弧形状の凸形状の係合部４ｄが形成され、支持板５には配線用絶縁筒４の係合部４ｄの先端断面形状に合わせた挿入孔５ｃが形成されて係合される場合の実施の形態を示す図２相当図である。
【００３１】
図６は、配線用絶縁筒４の端部断面の内形状に合わせた棒形状の突起６ａが、配線用絶縁筒４に内包されるように係合される場合の実施の形態を示す図３相当図である。また、この場合、棒形状の突起６ａに代えて配線用絶縁筒４の端部の断面の外形状に合わせたパイプ形状の突起を設けて、このパイプ形状の突起に配線用絶縁筒４を挿入して係合しても良い。
【００３２】
なお、係合部４ｄが、配線用絶縁筒４を支持板５からの抜けを防止してかつ開口部４ｂ，４ｃの開口方向を所望の方向に保持することができれば、係合部４ｄの凸部の形状は、上記の実施の形態に限定されるものではなく、また支持板５の挿入孔５ｂ，５ｃ及び窪み５ｄも上記の実施の形態に限定されるものではない。また、図２、図４又は図５に示すような係合部４ｄを形成した挿着構造は、配線用絶縁筒４の両端に用いても良い。
【００３３】
【発明の効果】
以上のように請求項１に記載の発明によれば、ケース内部の配線の一部を挿通するための二つの開口部が周壁に設けられた配線用絶縁筒を備え、配線用絶縁筒の一端は、ケース内部に固定されて配線用絶縁筒の一端を支持する支持板からの抜けを防止してかつ開口部の開口方向を所望の方向に保持するための挿着構造の係合部が形成されて支持板に係合され、他端はケース内部に設けられた穴形状の窪み又は棒形状の突起に係合されるようにしたので、配線用絶縁筒の両端共に挿着構造で支持することになって、支持関連の部品点数の削減ができ、また、材料費、組立工数の低減もできる。
【００３４】
請求項２に記載の発明によれば、係合部は凸部を有し、凸部は配線用絶縁筒の端から切り欠いて形成又は配線用絶縁筒の端に係合部形成部材を継合して形成されるようにしたので、配線用絶縁筒の係合部が凸形状に形成されることによって、支持板との係合構成が簡素化できる。
【００３５】
請求項３に記載の発明によれば、支持板は、配線用絶縁筒の係合部の先端断面形状に合わせた挿入孔又は穴形状の窪み、あるいは配線用絶縁筒の係合部を係止可能な四角形状の挿入孔又は四角形状の窪みを有するようにしたので、支持板に、配線用絶縁筒の係合部に係合する、挿入孔又は穴形状の窪み、あるいは四角形状の挿入孔又は四角形状の窪みが形成されることによって、配線用絶縁筒との係合構成が簡素化できる。
【図面の簡単な説明】
【図１】本発明に係る開閉器の一実施形態を示す部分断面図である。
【図２】（Ａ）は、図１の開閉器に用いられる配線用絶縁筒の上端の係合状態を示す平面図、（Ｂ）は、その正面図である。
【図３】（Ａ）は、図１の開閉器に用いられる配線用絶縁筒の下端の係合状態を示す平面図、（Ｂ）は、その正面図である。
【図４】他の実施の形態を示す図２相当図である。
【図５】さらに、他の実施の形態を示す図２相当図である。
【図６】他の実施の形態を示す図３相当図である。
【図７】配線用絶縁筒を用いた従来の開閉器の部分断面図である。
【図８】（Ａ）は、図７の配線用絶縁筒の上端の支持状態を示す平面図、（Ｂ）は、その正面図である。
【図９】（Ａ）は、図７の配線用絶縁筒の下端の支持状態を示す平面図、（Ｂ）は、その正面図である。
【符号の説明】
２  操作電源部
２ａ  端子
３  開閉器本体
３ａ  端子
４  配線用絶縁筒
４ａ  周壁
４ｂ，４ｃ  開口部
４ｄ  係合部
４ｅ  係合部形成部材
５  支持板
５ｂ，５ｃ  挿入孔
５ｄ  窪み
６  穴形状の窪み
６ａ  棒形状の突起
７  配線
７ａ  端子
８  ブッシング
９  ケース
【図１】
2004236367.tif 000003
【図２】
2004236367.tif 000004
【図３】
2004236367.tif 000005
【図４】
2004236367.tif 000006
【図５】
2004236367.tif 000007
【図６】
2004236367.tif 000008
【図７】
2004236367.tif 000009
【図８】
2004236367.tif 000010
【図９】
2004236367.tif 000011